(57)【特許請求の範囲】
【請求項１】
歯科用治療椅子を備えた歯科用治療装置において、
歯科用治療椅子における背凭れの起立傾斜の姿勢制御の移動速度をその全移動時間にわたって、健常者に対応した通常移動速度よりも低速に設定する低速移動キーを付設した低速移動制御機構を設け、かつ低速移動キーを、歯科用治療椅子の外面又はその近傍に配設してなることを特徴とする高齢者又は病弱者対応型の歯科用治療装置。
【請求項２】
歯科用治療椅子を備えた歯科用治療装置において、
歯科用治療椅子における座位部の上昇下降の姿勢制御の移動速度をその全移動時間にわたって、健常者に対応した通常移動速度よりも低速に設定する低速移動キーを付設した低速移動制御機構を設け、かつ低速移動キーを、歯科用治療椅子の外面又はその近傍に配設してなることを特徴とする請求項１記載の高齢者又は病弱者対応型の歯科用治療装置。
【請求項３】
歯科用治療椅子を備えた歯科用治療装置において、
歯科用治療椅子におけるヘッドレストの起立傾斜の姿勢制御の移動速度をその全移動時間にわたって、健常者に対応した通常移動速度よりも低速に設定する低速移動キーを付設した低速移動制御機構を設け、かつ低速移動キーを、歯科用治療椅子の外面又はその近傍に配設してなることを特徴とする請求項１又は２に記載の高齢者又は病弱者対応型の歯科用治療装置。
【請求項４】
歯科用治療椅子を備えた歯科用治療装置において、
歯科用治療椅子における姿勢制御が、ヘッドレストの上昇下降の姿勢制御の移動速度をその全移動時間にわたって、健常者に対応した通常移動速度よりも低速に設定する低速移動キーを付設した低速移動制御機構を設け、かつ低速移動キーを、歯科用治療椅子の外面又はその近傍に配設してなることを特徴とする請求項１ないし３のいずれかに記載の高齢者又は病弱者対応型の歯科用治療装置。
【発明の詳細な説明】
【０００１】
【発明の属する技術分野】
本発明は歯科用治療椅子の姿勢制御に係わり、特に姿勢制御速度を低速移動キーにおいて操作し得る歯科用治療椅子に関する。
【０００２】
【従来の技術と発明が解決しようとする課題】
従来、歯科用治療装置における歯科用治療椅子の姿勢制御は手動操作キーボード及びフットスイッチ等により行われているが、座位部、背凭れ、ヘッドレスト等における姿勢制御の際の移動速度は通常一定であり、若干の移動速度の調整は歯科用治療椅子に内蔵されている半固定の調整器を機器の保守員が調整し行っていた。
しかしながら、近時高齢の患者が増大しており、患者が高齢である場合や、身体に障害がある者、病弱者等においては、前記従来の姿勢制御の移動速度は健壮な一般患者の年齢層に合わせてあるために速度が早すぎて移動が行われる際又は後で患者が「めまい」を覚える等の不快症状を訴える場合があった。
従って、患者が高齢者である場合や、身体に障害がある者、病弱者等である場合には、患者が治療を受ける際に不快感を起こさないようにすることが課題であった。
【０００３】
【課題を解決するための手段】
本発明者は、上記に鑑み鋭意研究の結果上記課題を、下記の手段によって解決した。
（１）歯科用治療椅子を備えた歯科用治療装置において、
歯科用治療椅子における背凭れの起立傾斜の姿勢制御の移動速度をその全移動時間にわたって、健常者に対応した通常移動速度よりも低速に設定する低速移動キーを付設した低速移動制御機構を設け、かつ低速移動キーを、歯科用治療椅子の外面又はその近傍に配設してなることを特徴とする高齢者又は病弱者対応型の歯科用治療装置。
（２）歯科用治療椅子を備えた歯科用治療装置において、
歯科用治療椅子における座位部の上昇下降の姿勢制御の移動速度をその全移動時間にわたって、健常者に対応した通常移動速度よりも低速に設定する低速移動キーを付設した低速移動制御機構を設け、かつ低速移動キーを、歯科用治療椅子の外面又はその近傍に配設してなることを特徴とする（１）項記載の高齢者又は病弱者対応型の歯科用治療装置。
（３）歯科用治療椅子を備えた歯科用治療装置において、
歯科用治療椅子におけるヘッドレストの起立傾斜の姿勢制御の移動速度をその全移動時間にわたって、健常者に対応した通常移動速度よりも低速に設定する低速移動キーを付設した低速移動制御機構を設け、かつ低速移動キーを、歯科用治療椅子の外面又はその近傍に配設してなることを特徴とする（１）項又は（２）項に記載の高齢者又は病弱者対応型の歯科用治療装置。
（４）歯科用治療椅子を備えた歯科用治療装置において、
歯科用治療椅子における姿勢制御が、ヘッドレストの上昇下降の姿勢制御の移動速度をその全移動時間にわたって、健常者に対応した通常移動速度よりも低速に設定する低速移動キーを付設した低速移動制御機構を設け、かつ低速移動キーを、歯科用治療椅子の外面又はその近傍に配設してなることを特徴とする（１）ないし（３）項のいずれかに記載の高齢者又は病弱者対応型の歯科用治療装置。
【０００４】
【発明の実施の形態】
以下に発明の実施の形態の事例を図に基づいて説明する。
図１は、姿勢制御速度操作キーを備えた歯科用治療装置の外観図である。
図において、１は施術者側の手動操作キーボード、３は補助者側の手動操作キーボード、５はヘッドレスト側面の手動操作キーボード、５０はヘッドレストの起立傾斜速度操作キー（低速移動キー）、５６はヘッドレストの上昇下降速度操作キー（低速移動キー）、６０は座位部、７０は背凭れ、７５はうがい台、７６はブラケットテーブル、７７は施術者及び補助者用椅子、８０はヘッドレスト、１０１は座位部の上昇下降移動速度操作キー（低速移動キー）、１０２は背凭れの起立傾斜移動速度操作キー（低速移動キー）である。
図２は、従来の歯科用治療椅子における施術者側の姿勢制御用の手動操作キーボードに、座位部の上昇下降及び、背凭れの起立傾斜の移動速度操作キー（低速移動キー）を設けた事例を示す外観図である。
図２の（イ）図において、１は手動操作キーボード、１１はタイマー表示器、１２はタイマー設定部で、１３、１４はオートセット１・２、１５はうがい位置、１６はリセット位置、１７はソフトメモリー、１８ライトＯＮ／ＯＦＦ、１９はメモリー、２０はインスツルメント作動表示、２１はマイクロモータ正／逆回転切替え、２２はハンドピース注水切替、２３はハンドピースライトＯＮ／ＯＦＦ、２４、２５、２６はハンドピースの回転制御及び、オペレーティングライトの調光の３段階切替の各操作キーであり、以上は既存のものである。
１０２は背凭れの起立、傾斜移動速度操作キー（低速移動キー）で、新規に付加されたものである。
図２の（ロ）図は上記（イ）図に、座位部の上昇下降移動速度操作キー（低速移動キー）１０１を追加したものである。
【０００５】
図３は、従来の歯科用治療椅子における補助者側の姿勢制御用の手動操作キーボードに、座位部の上昇と下降及び背凭れの起立と傾斜の移動速度操作キー（低速移動キー）を設けた事例を示す外観図である。
図３の（イ）図において、３は手動操作キーボード、２７〜３２は前記図２の１３〜１８と同様の操作キーであり、以上は既存のものである。
２０２は前記図２の１０２と同じく背凭れの起立傾斜移動速度操作キー（低速度動キー）で新規に付加されたものである。
図３の（ロ）は、上記（イ）図に、座位部の上昇下降移動速度操作キー（低速移動キー）２０１を追加したものである。
【０００６】
図４は、従来の歯科用治療椅子におけるヘッドレストの姿勢制御用の手動操作キーボードに、ヘッドレストの上昇下降及び起立傾斜の移動速度減速用のキー（低速移動キー）を付加した事例を示す外観図である。
図において、５はヘッドレスト手動操作キーボードで、３３は上昇、３４は下降、３５は傾斜、３６は起立の各手動操作スイッチで既存のものである。
５０はヘッドレストの起立傾斜の移動速度操作キー（低速移動キー）、５６はヘッドレストの上昇下降移動速度操作キー（低速移動キー）で、新規に追加したものである。８０はヘッドレストである。
なお、ヘッドレストの起立傾斜の移動速度操作キー（低速移動キー）５０のみを追加した事例は省略する。
【０００７】
次に、操作用キー（低速移動キー）のＯＮ，ＯＦＦによる姿勢制御における移動速度の切替えの事例を、ブロック図に基づいて説明する。
図５は、歯科用治療椅子の姿勢制御における座部の上昇下降用シリンダ及び背凭れの起立傾斜用シリンダを駆動する既存の油圧回路図及び、本発明のシリンダの移動速度の制御回路を示す。
本事例においては、前述した移動速度の制御は、前記シリンダに連接して流量制御弁を設け、その開閉度をサーボモータによって制御し、シリンダの移動速度を可変することによって行っている。
ただし、速度の可変は減速とその復帰であり、減速値は連続可変の必要はなく例えば、高齢者用の移動速度を決定すれば、その後は前記操作キーＯＮ，ＯＦＦの動作を繰り返すことにより目的を達する。
以下にその低速移動制御機構を説明する。
図において、６は油圧回路、７はシリンダの作動速度の制御ブロック、４１、４７、６１、６３、８１、８３は電磁方向制御弁、４２はリリーフバルブ、４３、６２、８２は逆止弁、４４、４５、６４、８４は流量制御弁（可変絞り弁）、４８は絞り弁、４９、６５、８５、８８はフィルター、５７、６６、８６はシリンダーに連結された流量制御弁（可変絞り弁）、５１は座位部上昇下降用シリンダー、７３は油圧の入口、８７は背凭れの起立傾斜用シリンダー、８９は油圧の出口である。
また、５２、６７、９１は回転連結器具、５３、６８、９１はサーボモータ、５４、６９、９３は駆動部、５５、７１、９４は制御部、５８、７２、９５は半固定調整器、７４、７５はサーボモータ制御部であり、１０１は前記座位部の上昇下降移動速度操作キー（低速移動キー）、１０２は背凭れの起立、傾斜移動速度操作キー（低速移動キー）である。
【０００８】
図５における作用の事例として、入口７３より流入する油圧油は、フィルター８８を経由し、電磁方向制御弁８１の開路を通り、逆止弁８２からフィルター８５を経由して流量制御弁（可変絞り弁）８６を介して背凭れの起立傾斜用シリンダー８７の右端に入り、シリンダーを押して背凭れの起立を作動させる。
このとき、反対側のシリンダー左側の油圧油は、可変絞り弁６６を通りフィルター６５を経由して電磁方向制御弁６３の開路と可変絞り弁６４を通り出口用管に流れ出口８９より流出する。
背凭れの傾斜を作動させる場合は、逆に電磁方向制御器６２より流入した油圧油が可変絞り弁６６を通上記シリンダ８７の左端に入ってシリンダを作動させる。
このとき、反対側のシリンダー右側の油圧油は、可変絞り弁８６を通りフィルター８５を経由して電磁方向制御弁８３の開路と可変絞り弁８４を通り出口用管に流れ出口８９より流出する。
座位部の上昇下降用シリンダ５１における上昇下降も同様な作動により行われる。ただし、下降の場合は座位部の患者の重量により油圧油を流出させるため、１方向の管路を採用している。
以上の操作は既存であり、歯科用治療椅子の姿勢制御を行う制御回路と通常の操作キーによって行われている。
【０００９】
上記の作動方式における姿勢制御の移動速度は一定であるが、本発明においては移動速度を必要に応じて減速し、また元に復帰させる必要があるため、流量制御用の可変絞り弁５７が上昇下降用シリンダ５１にまた、可変絞り弁６６、８６が起立傾斜用シリンダー８７の左右端にそれぞれ設けられており、上記可変絞り弁の開閉の度合いを連結されたサーボモータ５３、６８、および９２の正又は逆回転により可変し、上記シリンダの作動速度を制御している。
７はサーボモータによるシリンダの作動速度の制御ブロックである。
例えば、座位部の上昇下降移動速度操作キー（低速移動キー）１０１に、プッシュＯＮ、プッシュＯＦＦのプッシュ位置保持方式のスイッチを用い、サーボモータ５３にステッピングモータを用いて、制御部５５を所定周波数のパルスを一定時間発生させる回路と、その極性の正逆反転回路と、回転連結器具からの回転数のフィードバックによる確認、補正等の回路より構成させる。
【００１０】
前記操作キー１０１をＯＮにすることにより、一定時間正のパルスを発生させ駆動部５４を介してステッピングモータ５３に送って正回転させる。
この回転は回転連結器具５２により可変絞り弁５７のニードル弁を上下させる調整ねじ部に連結されており、流路を閉じる方向に絞ることにより、油圧シリンダー（上昇下降用シリンダ５１）の流量を調節し、その移動速度を減速することができる。
また、元の移動速度に復帰させるには、上記可変絞り弁５７の絞りを元の状態に戻せばよいので、上記操作キー１０１をＯＦＦにすることにより、一定時間極性が反転された負のパルスを発生させ駆動部駆動部５４を介してステッピングモータ５３に送って逆回転させる。
この回転は回転連結器具５２により可変絞り弁５７の例えばニードル弁を上下させる調整ねじ部に連結されており、流路を開く方向に可変することにより、油圧シリンダー（上昇下降用シリンダ５１）の流量調整を元に戻し、その移動速度を元の状態に戻すことができる。
なお、５８は移動速度を微調するための半固定調整器である。
以上説明したように、座位部の上昇下降移動速度操作キー１０１をＯＮ，ＯＦＦすることにより、容易にその移動速度を減速しまた、元に戻すことができる。
また、上記と同様な作用によって、背凭れの起立傾斜用シリンダー８７の移動速度は、サーボモータ６８及び９２の制御部７１及び９４をコントロールし、可変絞り弁６６及び８６の開閉度合いを可変することによって行われ、背凭れの起立傾斜移動速度操作キー１Ｏ２を、ＯＮ，又はＯＦＦすることにより、容易にその移動速度を減速しまた、元に戻すことができる。
【００１１】
図６は、歯科用治療椅子９０におけるヘッドレストの起立傾斜及び上昇下降の作動及び姿勢制御速度の可変を示す説明図である。
図において、１１０はＤＣ電源、１１１、１１２は半固定抵抗調整器、１１３はＤＣ電源出力端子、１１４はＤＣモータ、１１５は駆動ギヤ、１１６はヘッドレスト起立傾斜用ギヤ付きバー、１１８はヘッドレスト上昇下降用ギヤ付き外筒、１１９は起立傾斜用湾曲器具、１２０はＤＣモータ、１２１は駆動ギヤ、１２２は上昇下降の移動方向、１２３は起立傾斜の移動方向である。
図に示すように、まずヘッドレスト８０の姿勢を起立させるには、ＤＣモータ１２０は停止したままとし、ＤＣモータ１１４を起動し、正回転（右回転）させ駆動ギヤ１１５によりヘッドレスト起立傾斜用ギヤ付きバー１１６を前進させる。（ＤＣモータ１２０の停止、ＤＣモーター１１４の起動回路は図示せず）
上記ヘッドレスト起立傾斜用ギヤ付きバー１１６の先端は、起立傾斜用湾曲器具１１９の後端に回転自在にジョイントされており、停止しているヘッドレスト上昇下降用ギヤ付き外筒１１８の先端孔のを支点として、前記湾曲器具１１９の曲線に沿って上方に移動する。
湾曲器具１１９の先端側面にはヘッドレスト８０が一定角度で固定されているので、この状態でヘッドレストは起立する。
次に、ＤＣモータ１１４を逆回転（左回転）させると、上記と逆の動作により、ヘッドレスト８０は元に戻り傾斜の位置となる。
【００１２】
ヘッドレスト８０の姿勢を上昇させるには、ＤＣモータ１２０及びＤＣモータ１１４を正回転（右回転）させ駆動ギヤ１２１および１１５によりヘッドレスト上昇下降用ギヤ付き外筒１１８及び起立傾斜用ギヤ付きバー１１６を一緒に前進させる。（ＤＣモータ１２０及びＤＣモータ１１４の同時起動回路は図示せず）前記バー１１６の先端は、起立傾斜用湾曲器具１１９の後端にジョイントされており、上昇下降用ギヤ付き外筒１１８の及び起立傾斜用ギヤ付きバー１１６とともに移動し、その先端側面に一定角度で固定されているヘッドレストも前進する。
通常歯科用治療椅子のヘッドレストの設定角度は、床面に対して水平位置より上方に傾斜しているので、上記の前進は位置の上昇となる。
次に、ＤＣモータ１２０及びＤＣモータ１１４を逆回転（左回転）すると、上記と逆の動作により、ヘッドレスト８０は元に戻り下降の位置となる。
【００１３】
以上説明した作動方式における姿勢制御は既存のものであり、その移動速度は一定であるが、本発明においては移動速度を必要に応じて減速し、また元に復帰させる必要がある。
以下にその低速移動制御機構について説明する。
図に示すように例えば、ヘッドレストの起立傾斜速度操作キー（低速移動キー）５０を、プッシュＯＮ，プッシュＯＦＦを保持する方式の操作スイッチを採用し、前記ＤＣモータ１１４及び１２０と直列に半固定の調整抵抗１１１を設け、回転数を減速するには起立傾斜速度操作キー（低速移動キー）５０をプッシュしＯＮにして抵抗１１１によりドロップさせた電圧をＤＣモータに給電することにより、回転速度を減速することができ、従ってヘッドレストの起立傾斜速度を減速することができる。
次に、起立傾斜速度操作キー（低速移動キー）５０をプッシュＯＦＦにして上記半固定の調整抵抗１１１を切り離して線路を直結とし、ＤＣモーターへの給電電圧を元に戻してやれば回転速度は通常に戻る。従ってヘッドレストの起立傾斜速度は元に復帰する。
【００１４】
次に、図に示すように上記と同様に、例えば、ヘッドレストの上昇下降速度操作キー（低速移動キー）５６を、プッシュＯＮ，プッシュＯＦＦを保持する方式の操作スイッチを採用し、前記ＤＣモータ１１４及び１２０と直列に半固定の調整抵抗１１２を設け、回転数を減速するには上昇下降速度操作キー５６をプッシュしＯＮにして抵抗１１２によりドロップさせた電圧をＤＣモータに給電することにより、回転速度を減速することができ、従ってヘッドレストの上昇下降速度を減速することができる。
次に、上昇下降速度操作キー５６（低速移動キー）をプッシュＯＦＦにして上記半固定の調整抵抗１１２を切り離して線路を直結とし、ＤＣモーターへの給電電圧を元に戻してやれば回転速度は通常に戻る。従ってヘッドレストの上昇下降速度は元に復帰する。
以上説明したように、ヘッドレストの上昇下降速度操作キー（低速移動キー）５６をＯＮ，ＯＦＦすることにより、容易にその移動速度を減速しまた、元に戻すことができる。
【００１５】
図７は前述した歯科用治療椅子９０において、サーボモータによるシリンダの作動速度の制御ブロック７と、油圧回路６と、座位部の上昇下降用シリンダ５１及び、背凭れ７０の起立傾斜用シリンダ８７の配置ならびに、ヘッドレスト８０の上昇下降及び起立傾斜用の湾曲器具１１９と、ヘッドレスト手動操作キーボード５の配置関係の事例を示す外観斜視図である。
図において、１２２はヘッドレストの上昇下降の方向、１２３はヘッドレスト８０の起立傾斜の方向、１３６は背凭れ７０の起立傾斜の方向、１３７は座位部６０の上昇下降の方向を示す。
【００１６】
【発明の効果】
以上説明したように本発明によれば次のような効果を発揮することができる。
歯科用治療装置の治療椅子の姿勢制御において、背凭れの起立傾斜、座位部の上昇下降、ヘッドレストの起立傾斜及び上昇下降の制御速度を低速度に減速させる低速移動キーを、歯科用治療装置の外面又はその近傍に設け、施術者又は補助者が、容易に操作できるので、
近時増大している高齢の患者である場合や、身体に障害がある者、病弱者等の患者に対しては、姿勢制御の移動速度を低速度に減速させることが可能であり、移動が行われる際又は後で患者が「めまい」を覚える等の不快症状をなくすることができる。
また、一般の患者の場合は従来の移動速度に戻すことにより、広い年齢層の患者にも効率よく適用できる。
従って歯科の治療において、特に、患者の中の高齢者や、身体に障害がある者病弱者等に適応できる効果は大である。
【図面の簡単な説明】
【図１】姿勢制御速度操作キー（低速移動キー）を備えた歯科用治療装置の外観図。
【図２】従来の歯科用治療椅子における施術者側の姿勢制御用の手動操作キーボードに、座位部の上昇下降及び、背凭れの起立傾斜の移動速度操作キー（低速移動キー）を設けた事例を示す外観図。
【図３】従来の歯科用治療椅子における補助者側の姿勢制御用の手動操作キーボードに、座位部の上昇と下降及び背凭れの起立と傾斜の移動速度操作キー（低速移動キー）を設けた事例を示す外観図。
【図４】従来の歯科用治療椅子におけるヘッドレストの姿勢制御用の手動操作キーボードに、ヘッドレストの上昇下降及び起立傾斜の移動速度操作キー（低速移動キー）を設けた事例を示す外観図。
【図５】歯科用治療椅子の姿勢制御における座部の上昇下降用シリンダ及び背凭れの起立傾斜用シリンダを駆動する既存の油圧回路図及び、本発明のシリンダの移動速度の制御回路図。
【図６】歯科用治療椅子におけるヘッドレストの起立傾斜及び上昇下降の
作動及び本発明の姿勢制御速度の可変を示す説明図。
【図７】歯科用治療椅子の、サーボモータによるシリンダの作動速度の制御ブロックと、油圧回路と、座位部の上昇下降用シリンダ及び、背凭れの起立傾斜用シリンダの配置並びに、ヘッドレストの上昇下降及び起立傾斜用の湾曲器具と、ヘッドレスト手動操作キーボードの配置関係の事例を示す外観斜視図。
【符号の説明】
１、２：施術者側の手動操作キーボード
３、４：補助者側の手動操作キーボード
５：ヘッドレスト側面の手動操作キーボード  ６：油圧回路
７：シリンダの作動速度の制御ブロック    １１：タイマー表示器
１２：タイマー設定部                  １３、１４：オートセット１・２
１５：うがい位置                      １６：リセット位置
１７：ソフトメモリー                  １８：ライトＯＮ／ＯＦＦ
１９：メモリー                        ２０：インスツルメント表示
２１：マイクロモータ正／逆回転切替え  ２２：ハンドピース注水切替
２３：ハンドピースライトＯＮ／ＯＦＦ
２４、２５、２６：ハンドピースの回転制御及びオペレーティングライトの調光の３段階切替の各操作キー
２７、２８：オートセット１・２        ２９：うがい位置
３０：リセット位置                    ３１：ソフトメモリー
３２：ライトＯＮ／ＯＦＦ              ３３：上昇手動操作スイッチ
３４：下降手動操作スイッチ            ３５：傾斜手動操作スイッチ
３６：起立手動操作スイッチ            ４１：電磁方向制御弁
４２：リリーフバルブ                  ４３：逆止弁
４４、４５：流量制御弁                ４６：アキュームレーター
４７：電磁方向制御弁                  ４８：絞り弁
４９：フィルター                      ５０：ヘッドレスト起立傾斜速度操作
キー（低速移動キー）                  ５１：座位部上昇下降用シリンダー
５２：回転連結器具                    ５３：サーボモータ
５４：駆動部                          ５５：制御部
５６：ヘッドレスト上昇下降速度操作キー（低速移動キー）
５７：シリンダーに連結された流量制御弁
５８：半固定調整器                    ６１：電磁方向制御弁
６２：逆止弁                          ６３：電磁方向制御弁
６４：逆止弁                          ６５：フィルター
６６：電磁方向制御弁                  ６７：回転連結器具
６８：サーボモータ                    ６９：駆動部
７０：背凭れ                          ７１：制御部
７２：半固定調整器                    ７３：入口
７４、７５：サーボモータ制御部        ９１：回転連結器具
９２：サーボモータ                    ９３：駆動部
９４：制御部                          ９５：半固定調整器
１０１：座位部の上昇下降移動速度操作キー（低速移動キー）
１０２：背凭れの起立傾斜移動速度操作キー（低速移動キー）
１１０：ＤＣ電源                    １１１、１１２：半固定抵抗調整器
１１３：ＤＣ電源出力端子            １１４：ＤＣモータ
１１５：駆動ギヤ
１１６：ヘッドレスト起立傾斜用ギヤ付きバー
１１８：ヘッドレスト上昇下降用ギヤ付き外筒
１１９：起立傾斜用湾曲器具          １２０：ＤＣモータ
１２１：駆動ギヤ
１２２：ヘッドレストの上昇下降の移動方向
１２３：ヘッドレストの起立傾斜の移動方向
１３６：背凭れの起立傾斜の方向      １３７：座位部６０の上昇下降の方向
【図１】
0003899494.tif 000002
【図２】
0003899494.tif 000003
【図３】
0003899494.tif 000004
【図４】
0003899494.tif 000005
【図５】
0003899494.tif 000006
【図６】
0003899494.tif 000007
【図７】
0003899494.tif 000008